(57)【特許請求の範囲】
【請求項１】
物体側から順に、正の屈折力を持つ第１レンズ群と、負の屈折力を持つ第２レンズ群と、正の屈折力を持つ第３レンズ群と、負の屈折力を持つ第４レンズ群とから構成されていること；
無限遠撮影距離から等倍撮影距離に向けてのフォーカシングに際し、第１レンズ群が像面に対して固定され、第２レンズ群と第３レンズ群が光軸方向に移動すること；
第４レンズ群は、物体側から順に、物体側に凸面を向けた２枚の負メニスカスレンズと、物体側に凸面を向けた正メニスカスレンズとの３枚のレンズからなること；
第４レンズ群の３枚のレンズ間にそれぞれ空気間隔が介在すること；及び
次の条件式（２）を満足すること；
を特徴とするマクロレンズ系。
（２）−１．４＜ｆ11／ｆi＜−１．１
但し、
ｆ11：第１レンズ群中の最も物体側のレンズの焦点距離、
ｆi：無限遠撮影時の全系の焦点距離。
【請求項２】
物体側から順に、正の屈折力を持つ第１レンズ群と、負の屈折力を持つ第２レンズ群と、正の屈折力を持つ第３レンズ群と、負の屈折力を持つ第４レンズ群とから構成されていること；
無限遠撮影距離から等倍撮影距離に向けてのフォーカシングに際し、第１レンズ群が像面に対して固定され、第２レンズ群と第３レンズ群が光軸方向に移動すること；
第４レンズ群は、物体側から順に、物体側に凸面を向けた２枚の負メニスカスレンズと、物体側に凸面を向けた正メニスカスレンズとの３枚のレンズからなること；
第４レンズ群の３枚のレンズ間にそれぞれ空気間隔が介在すること；及び
次の条件式（５）を満足すること；
を特徴とするマクロレンズ系。
（５）２．１＜ｍ2i＜２．５
但し、
ｍ2i：無限遠撮影時の第２レンズ群の横倍率。
【請求項３】
請求項１または２記載のマクロレンズ系において、次の条件式（３）及び（４）を満足するマクロレンズ系。
（３）ｍ1n＞０
（４）ｍ2n＞０
但し、
ｍ1n：等倍撮影時の第１レンズ群の横倍率、
ｍ2n：等倍撮影時の第２レンズ群の横倍率。
【発明の詳細な説明】
【技術分野】
【０００１】
本発明は、無限遠から等倍付近までの撮影が可能な、特に中判一眼レフカメラに用いて好適なマクロレンズ系に関する。
【背景技術】
【０００２】
従来、写真用カメラなどに用いる少なくとも撮影倍率０．５倍以上で撮影可能なマクロレンズ系が知られている。フォーカシング時に最も物体側に配置されたレンズ群を移動させる（繰り出す）マクロレンズ系では、一般にレンズ群の移動量が大きく、オートフォーカスカメラに用いると駆動トルクが大きいため、高速のオートフォーカスが難しくなる傾向がある。特に中判カメラ用撮影レンズは、レンズ径が大きく重量が大きいため、駆動系に対する負担がより大きく好ましくない。
【０００３】
これを解決する手段として、フォーカシング時に、最も物体側に配置した第１レンズ群を像面に対して固定とし、第１レンズ群以外の複数のレンズ群を独立に移動させるインナーフォーカスタイプのマクロレンズ系が提案されている（特許文献１、２）。このマクロレンズ系では、全光学系の最も物体側（第１レンズ群の最も物体側）に負の屈折力を持つレンズを配置することで、３５ミリフィルム一眼レフカメラに十分な長さのバックフォーカスを確保しつつ、無限遠から等倍付近までの広い撮影領域にわたって諸収差の補正を試みている。
【先行技術文献】
【特許文献】
【０００４】
【特許文献１】特開２００８−２５７２００号公報
【特許文献２】特開２００４−６１６８０号公報
【発明の概要】
【発明が解決しようとする課題】
【０００５】
しかしながら、特許文献１、２記載のマクロレンズ系を中判一眼レフカメラなどの焦点距離に対してバックフォーカスを長く確保する必要のある機器に用いるためには、レンズ全系の拡大（スケーリング）を行うだけでは広角化を実現することは難しく、また全長の増大にもつながる。すなわち、特許文献１、２記載のマクロレンズ系を画角はそのままで中判一眼レフカメラ用のサイズにスケーリングするとバックフォーカスが不足し、さらに十分なバックフォーカスを確保できるサイズにまでスケーリングすると焦点距離が長く（画角が狭く）なってしまう。
【０００６】
焦点距離に対して長いバックフォーカスを確保するためには、全光学系の最も物体側（第１レンズ群の最も物体側）に負の屈折力を持つレンズを配置することが有効である。ところが、より長いバックフォーカスを確保するためにこの最も物体側の負レンズの屈折力の絶対値を大きくすると、負の球面収差、負の歪曲収差、正の像面湾曲などの諸収差が発生し、レンズ全系での収差補正が難しくなる傾向がある。
【０００７】
本発明は従って、特に中判一眼レフカメラに用いるマクロレンズ系において、より長いバックフォーカスを確保しつつ、無限遠から等倍付近までの広い撮影領域にわたって収差が良好に補正された、画角３８〜４３度程度のインナーフォーカスタイプのマクロレンズ系を得ることを目的とする。
【課題を解決するための手段】
【０００８】
本発明のマクロレンズ系は、第１の態様では、物体側から順に、正の屈折力を持つ第１レンズ群と、負の屈折力を持つ第２レンズ群と、正の屈折力を持つ第３レンズ群と、負の屈折力を持つ第４レンズ群とから構成されていること；無限遠撮影距離から等倍撮影距離に向けてのフォーカシングに際し、第１レンズ群が像面に対して固定され、第２レンズ群と第３レンズ群が光軸方向に移動すること；第４レンズ群は、物体側から順に、物体側に凸面を向けた２枚の負メニスカスレンズと、物体側に凸面を向けた正メニスカスレンズとの３枚のレンズからなること；第４レンズ群の３枚のレンズ間にそれぞれ空気間隔が介在すること；及び次の条件式（２）を満足すること；を特徴としている。
（２）−１．４＜ｆ11／ｆi＜−１．１
但し、
ｆ11：第１レンズ群中の最も物体側のレンズの焦点距離、
ｆi：無限遠撮影時の全系の焦点距離、
である。
【０００９】
本発明のマクロレンズ系は、第２の態様では、物体側から順に、正の屈折力を持つ第１レンズ群と、負の屈折力を持つ第２レンズ群と、正の屈折力を持つ第３レンズ群と、負の屈折力を持つ第４レンズ群とから構成されていること；無限遠撮影距離から等倍撮影距離に向けてのフォーカシングに際し、第１レンズ群が像面に対して固定され、第２レンズ群と第３レンズ群が光軸方向に移動すること；第４レンズ群は、物体側から順に、物体側に凸面を向けた２枚の負メニスカスレンズと、物体側に凸面を向けた正メニスカスレンズとの３枚のレンズからなること；第４レンズ群の３枚のレンズ間にそれぞれ空気間隔が介在すること；及び次の条件式（５）を満足すること；を特徴としている。
（５）２．１＜ｍ2i＜２．５
但し、
ｍ2i：無限遠撮影時の第２レンズ群の横倍率、
である。
【００１０】
本発明のマクロレンズ系は、次の条件式（３）及び（４）を満足することが好ましい。
（３）ｍ1n＞０
（４）ｍ2n＞０
但し、
ｍ1n：等倍撮影時の第１レンズ群の横倍率、
ｍ2n：等倍撮影時の第２レンズ群の横倍率、
である。
【００１１】
本発明のマクロレンズ系は、次の条件式（１）を満足することが好ましい。
（１）−４．６＜ｆ2／ｆi＜−３．０
但し、
ｆ2：第２レンズ群の焦点距離、
ｆi：無限遠撮影時の全系の焦点距離、
である。
【発明の効果】
【００１２】
本発明によれば、特に中判一眼レフカメラに用いるマクロレンズ系において、より長いバックフォーカスを確保しつつ、無限遠から等倍付近までの広い撮影領域にわたって収差が良好に補正された、画角３８〜４３度程度のインナーフォーカスタイプのマクロレンズ系を得ることができる。
【図面の簡単な説明】
【００１３】
【図１】本発明によるマクロレンズ系の数値実施例１の無限遠撮影状態におけるレンズ構成図である。
【図２】図１の構成における諸収差図である。
【図３】図１の構成における横収差図である。
【図４】同数値実施例１の等倍撮影状態におけるレンズ構成図である。
【図５】図４の構成における諸収差図である。
【図６】図４の構成における横収差図である。
【図７】本発明によるマクロレンズ系の数値実施例２の無限遠撮影状態におけるレンズ構成図である。
【図８】図７の構成における諸収差図である。
【図９】図７の構成における横収差図である。
【図１０】同数値実施例２の等倍撮影状態におけるレンズ構成図である。
【図１１】図１０の構成における諸収差図である。
【図１２】図１０の構成における横収差図である。
【図１３】本発明によるマクロレンズ系の数値実施例３の無限遠撮影状態におけるレンズ構成図である。
【図１４】図１３の構成における諸収差図である。
【図１５】図１３の構成における横収差図である。
【図１６】同数値実施例３の等倍撮影状態におけるレンズ構成図である。
【図１７】図１６の構成における諸収差図である。
【図１８】図１６の構成における横収差図である。
【図１９】本発明によるマクロレンズ系の数値実施例４の無限遠撮影状態におけるレンズ構成図である。
【図２０】図１９の構成における諸収差図である。
【図２１】図１９の構成における横収差図である。
【図２２】同数値実施例４の等倍撮影状態におけるレンズ構成図である。
【図２３】図２２の構成における諸収差図である。
【図２４】図２２の構成における横収差図である。
【図２５】本発明によるマクロレンズ系の数値実施例５の無限遠撮影状態におけるレンズ構成図である。
【図２６】図２５の構成における諸収差図である。
【図２７】図２５の構成における横収差図である。
【図２８】同数値実施例５の等倍撮影状態におけるレンズ構成図である。
【図２９】図２８の構成における諸収差図である。
【図３０】図２８の構成における横収差図である。
【図３１】本発明によるマクロレンズ系の数値実施例６の無限遠撮影状態におけるレンズ構成図である。
【図３２】図３１の構成における諸収差図である。
【図３３】図３１の構成における横収差図である。
【図３４】同数値実施例６の等倍撮影状態におけるレンズ構成図である。
【図３５】図３４の構成における諸収差図である。
【図３６】図３４の構成における横収差図である。
【図３７】本発明によるマクロレンズ系の数値実施例７の無限遠撮影状態におけるレンズ構成図である。
【図３８】図３７の構成における諸収差図である。
【図３９】図３７の構成における横収差図である。
【図４０】同数値実施例７の等倍撮影状態におけるレンズ構成図である。
【図４１】図４０の構成における諸収差図である。
【図４２】図４０の構成における横収差図である。
【図４３】本発明によるマクロレンズ系の数値実施例８の無限遠撮影状態におけるレンズ構成図である。
【図４４】図４３の構成における諸収差図である。
【図４５】図４３の構成における横収差図である。
【図４６】同数値実施例８の等倍撮影状態におけるレンズ構成図である。
【図４７】図４６の構成における諸収差図である。
【図４８】図４６の構成における横収差図である。
【図４９】本発明によるマクロレンズ系の数値実施例９の無限遠撮影状態におけるレンズ構成図である。
【図５０】図４９の構成における諸収差図である。
【図５１】図４９の構成における横収差図である。
【図５２】同数値実施例９の等倍撮影状態におけるレンズ構成図である。
【図５３】図５２の構成における諸収差図である。
【図５４】図５２の構成における横収差図である。
【図５５】本発明によるマクロレンズ系の移動軌跡を示す簡易移動図である。
【発明を実施するための形態】
【００１４】
本実施の形態のマクロレンズ系は、図５５の簡易移動図に示すように、物体側から順に、正の屈折力を持つ第１レンズ群Ｇ１、負の屈折力を持つ第２レンズ群Ｇ２、正の屈折力を持つ第３レンズ群Ｇ３、及び負の屈折力を持つ第４レンズ群Ｇ４から構成されている。第２レンズ群Ｇ２と第３レンズ群Ｇ３の間に位置する絞りＳは、像面に対して固定されており、フォーカシングに際し光軸方向に移動しない。Ｉは像面である。
【００１５】
本実施の形態のマクロレンズ系は、無限遠撮影距離（図５５の上方）から等倍撮影距離（図５５の下方）に向けてのフォーカシングに際し、第１レンズ群Ｇ１が像面に対して固定されており（光軸方向に移動せず）、第２レンズ群Ｇ２が像側に移動し、第３レンズ群Ｇ３が物体側に移動するインナーフォーカスタイプを採用している。第４レンズ群Ｇ４は、無限遠撮影距離から等倍撮影距離に向けてのフォーカシングに際し、像面に対して固定されている態様（光軸方向に移動しない態様）、光軸方向に移動する態様のいずれも可能である。
【００１６】
第１レンズ群Ｇ１は、数値実施例１、２、４−９では、物体側から順に、負レンズ１１、正レンズ１２及び正レンズ１３からなる３枚構成である。
第１レンズ群Ｇ１は、数値実施例３では、物体側から順に、負レンズ１１'、正レンズ１２'、正レンズ１３'及び正レンズ１４'からなる４枚構成である。
【００１７】
第２レンズ群Ｇ２は、全数値実施例１−９を通じて、物体側から順に、負レンズ２１、
及び物体側から順に位置する負レンズ２２と正レンズ２３の接合レンズからなる。
【００１８】
第３レンズ群Ｇ３は、全数値実施例１−９を通じて、物体側から順に、正レンズ３１、
及び物体側から順に位置する正レンズ３２と負レンズ３３の接合レンズからなる。
【００１９】
第４レンズ群Ｇ４は、全数値実施例１−９を通じて、物体側から順に、負レンズ４１、
負レンズ４２、及び正レンズ４３からなる。
【００２０】
一眼レフカメラに用いることができるインナーフォーカスタイプのマクロレンズ系において、十分な長さのバックフォーカスを確保しつつ、無限遠から等倍付近の広い撮影領域にわたって収差変動を抑えるためには、負の屈折力を持ったフォーカスレンズ群である第２レンズ群と、第１レンズ群中の最も物体側のレンズとに、屈折力の配分を適切に行う必要がある。
【００２１】
条件式（１）は、第２レンズ群の焦点距離と、無限遠撮影時の全系の焦点距離との比を規定するものであり、十分な長さのバックフォーカスを確保しつつ、無限遠から等倍付近の広い撮影領域にわたって良好に収差補正を行うための条件式である。
条件式（１）の上限を超えると、フォーカスレンズ群である第２レンズ群の負の屈折力が強くなりすぎて、フォーカシングに伴う収差変化を抑えるのが難しくなる。
条件式（１）の下限を超えると、第２レンズ群の移動量が大きくなりすぎて、オートフォーカス機構への負担が大きくなる。また、等倍撮影距離でのワーキングディスタンスを確保しようとすると全長が増大し好ましくない。
【００２２】
条件式（２）は、第１レンズ群中の最も物体側のレンズの焦点距離と、無限遠撮影時の全系の焦点距離との比を規定するものであり、十分な長さのバックフォーカスを確保しつつ、無限遠から等倍付近の広い撮影領域にわたって良好に収差補正を行うための条件式である。
条件式（２）の上限を超えると、第１レンズ群中の最も物体側のレンズの負の屈折力が強くなりすぎて、歪曲収差や非点収差などの補正が難しくなる。
条件式（２）の下限を超えると、レンズ全長が長くなり、光量を確保するために第１レンズ群及び第２レンズ群の径が大きくなり、コストアップの原因となる。
【００２３】
条件式（３）は等倍撮影時の第１レンズ群の横倍率が正の値をとることを規定し、条件式（４）は等倍撮影時の第２レンズ群の横倍率が正の値をとることを規定するものであり、軸上光線を緩やかに屈曲させ、球面収差の発生を抑えるための条件式である。
正の屈折力を持つ第１レンズ群と負の屈折力を持つ第２レンズ群とによって近距離物体からの光線を屈曲するとき、第１レンズ群及び第２レンズ群の横倍率がともに正の値をとる場合と、ともに負の値をとる場合とがある。後者の場合、すなわち条件式（３）及び（４）を満足しない場合、第１レンズ群に発散光で入射した軸上光線は第１レンズ群によって収束光となり、第２レンズ群によって再び発散光となる。このように軸上光線が収束と発散を繰り返すと、大きな球面収差が発生して好ましくない。
【００２４】
条件式（５）は、無限遠撮影時の第２レンズ群の横倍率を規定するものであり、フォーカシングに伴う収差変化を抑えるとともに、第２レンズ群の移動量を小さくしてオートフォーカス機構への負担を小さくするための条件式である。
条件式（５）の上限を超えると、フォーカスレンズ群である第２レンズ群の屈折力が大きくなりすぎて、フォーカシングに伴う収差変化を抑えることが難しくなる。
条件式（５）の下限を超えると、第２レンズ群の移動量が大きくなりすぎて、オートフォーカス機構への負担が大きくなる。
【００２５】
また、本実施の形態のマクロレンズ系は、第４レンズ群が、物体側から順に、物体側に凸面を向けた２枚の負メニスカスレンズ、及び物体側に凸面を向けた正メニスカスレンズの３枚のレンズからなり、この３枚のレンズ間にそれぞれ空気間隔が介在している。負の屈折力を持つ第４レンズ群においては、物体側の２枚の負レンズと像側の１枚の正レンズとの組み合わせによって、軸外のコマ収差、色収差及び像面湾曲などの諸収差を補正することができる。像側の負レンズと正レンズとを接合せずこれらのレンズ間に空気間隔を介在させることで、軸外のコマ収差、非点収差などの諸収差をより良好に容易に補正することができる。また、３枚のレンズの全てが物体側に凸面を向けることで、第３レンズ群によって収束した軸上光線の各凸面への入射角度が緩やかになり、高次の球面収差の発生を良好に抑えることができる。
【実施例】
【００２６】
次に具体的な数値実施例を示す。諸収差図及び横収差図並びに表中において、ｄ線、ｇ線、Ｃ線はそれぞれの波長に対する収差、Ｓはサジタル、Ｍはメリディオナル、FNO.はＦナンバー、FEは有効Ｆナンバー、fは全系の焦点距離、Wは半画角（゜）、Yは像高、fBはバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を意味する。Ｆナンバー、有効Ｆナンバー、焦点距離、半画角、像高、バックフォーカス、レンズ全長及びフォーカシングに伴って間隔が変化するレンズ間隔ｄは、無限遠撮影状態−等倍（-1.0倍）撮影状態の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００２７】
［数値実施例１］
図１〜図６と表１〜表３は、本発明によるマクロレンズ系の数値実施例１を示している。図１は無限遠撮影状態におけるレンズ構成図、図２はその諸収差図、図３はその横収差図であり、図４は等倍撮影状態におけるレンズ構成図、図５はその諸収差図、図６はその横収差図である。表１は面データ、表２は各種データ、表３は非球面データである。
【００２８】
本数値実施例１のマクロレンズ系は、物体側から順に、正の屈折力を持つ第１レンズ群Ｇ１、負の屈折力を持つ第２レンズ群Ｇ２、正の屈折力を持つ第３レンズ群Ｇ３、及び負の屈折力を持つ第４レンズ群Ｇ４から構成されている。
【００２９】
第１レンズ群Ｇ１（面番号１から７）は、物体側から順に、物体側に凸の負メニスカスレンズ１１、両凸正レンズ１２、及び物体側に凸の正メニスカスレンズ１３からなる。負メニスカスレンズ１１は、ガラスレンズの像側の面に合成樹脂材料による非球面層が接着形成されたハイブリッドレンズである。
第２レンズ群Ｇ２（面番号８から１２）は、物体側から順に、物体側に凸の負メニスカスレンズ２１、及び物体側から順に位置する両凹負レンズ２２と両凸正レンズ２３の接合レンズからなる。
第３レンズ群Ｇ３（面番号１４から１８）は、物体側から順に、両凸正レンズ３１、及び物体側から順に位置する両凸正レンズ３２と像側に凸の負メニスカスレンズ３３の接合レンズからなる。
第４レンズ群Ｇ４（面番号１９から２４）は、物体側から順に、物体側に凸の負メニスカスレンズ４１、物体側に凸の負メニスカスレンズ４２、及び物体側に凸の正メニスカスレンズ４３からなる。
第２レンズ群Ｇ２と第３レンズ群Ｇ３の間に位置する絞りＳ（面番号１３）は、像面に対して固定されている（光軸方向に移動しない）。
【００３０】
（表１）
面データ
面番号          r          d          N(d)        νｄ
1            55.123      2.800      1.83481       42.7
2            32.887      0.200      1.52972       42.7
3*           33.171     15.376
4           699.593      4.885      1.72916       54.7
5          -111.360      0.598
6            64.628      5.547      1.60311       60.7
7           712.985        d7
8          5081.191      1.800      1.56384       60.8
9            41.787      8.561
10          -46.495      2.864      1.70154       41.2
11           46.802     12.662      1.83481       42.7
12          -47.158       d12
13絞           ∞         d13
14          227.574      5.068      1.49700       81.6
15          -69.143      0.100
16           71.760      6.853      1.58913       61.2
17          -66.740      3.588      1.84666       23.8
18         -825.523       d18
19          209.910      2.579      1.72342       38.0
20           44.996      2.602
21          130.425      1.900      1.60311       60.7
22           49.011      2.134
23           50.187      4.266      1.80518       25.5
24          132.716        -
＊は回転対称非球面である。
（表２）
各種データ
無限遠撮影状態        等倍（-1.0倍）撮影状態
FNO.(FE)          2.9                      (4.2)
f               87.80                     58.80
W                21.5                      14.6
Y               34.85                     34.85
fB              67.93                     67.93
L              205.94                    205.94
d7              4.000                    19.053
d12            16.653                     1.600
d13            30.475                     3.350
d18             2.500                    29.625
（表３）
非球面データ（表示していない非球面係数は0.00である）
面番号   K          A4             A6             A8
3     0.000    0.3350E-06     0.1236E-10    -0.2339E-12
【００３１】
［数値実施例２］
図７〜図１２と表４〜表６は、本発明によるマクロレンズ系の数値実施例２を示している。図７は無限遠撮影状態におけるレンズ構成図、図８はその諸収差図、図９はその横収差図であり、図１０は等倍撮影状態におけるレンズ構成図、図１１はその諸収差図、図１２はその横収差図である。表４は面データ、表５は各種データ、表６は非球面データである。
【００３２】
この数値実施例２のレンズ構成は、以下の点を除いて数値実施例１と同様である。
（１）第１レンズ群Ｇ１の正レンズ１３が両凸正レンズである。
（２）第２レンズ群Ｇ２の負レンズ２１が両凹負レンズである。
（３）第４レンズ群Ｇ４の負レンズ４１が、ガラスレンズの物体側の面に合成樹脂材料による非球面層が接着形成されたハイブリッドレンズである。
【００３３】
（表４）
面データ
面番号          r          d          N(d)        νｄ
1            60.691      2.800      1.83481       42.7
2            34.055      0.200      1.52972       42.7
3*           34.313     11.740
4           392.420      4.850      1.72916       54.7
5          -142.500      3.940
6            79.022      5.740      1.60311       60.7
7          -369.600        d7
8         -3173.773      1.800      1.56384       60.8
9            43.000      8.290
10          -46.311      2.500      1.70154       41.2
11           46.311     12.260      1.83481       42.7
12          -46.311       d12
13絞           ∞         d13
14          181.168      5.170      1.49700       81.6
15          -71.400      0.100
16           71.400      6.690      1.58913       61.2
17          -71.400      2.590      1.84666       23.8
18        -2264.952       d18
19*         104.493      0.200      1.52972       42.7
20           78.389      1.900      1.72342       38.0
21           41.300      3.310
22          200.336      1.900      1.60311       60.7
23           50.922      1.830
24           47.859      4.000      1.80518       25.5
25           98.790        -
＊は回転対称非球面である。
（表５）
各種データ
無限遠撮影状態        等倍（-1.0倍）撮影状態
FNO.(FE)          2.9                      (4.2)
f               87.80                     58.76
W                21.5                      14.7
Y               34.85                     34.85
fB              67.96                     67.96
L              205.93                    205.93
d7              5.040                    21.116
d12            17.300                     1.224
d13            31.320                     3.194
d18             2.500                    30.626
（表６）
非球面データ（表示していない非球面係数は0.00である）
面番号   K          A4             A6             A8
3     0.000    0.4167E-06    -0.6200E-10    -0.2212E-12
19    0.000   -0.4069E-06     0.3096E-09    -0.9349E-12
【００３４】
［数値実施例３］
図１３〜図１８と表７〜表８は、本発明によるマクロレンズ系の数値実施例３を示している。図１３は無限遠撮影状態におけるレンズ構成図、図１４はその諸収差図、図１５はその横収差図であり、図１６は等倍撮影状態におけるレンズ構成図、図１７はその諸収差図、図１８はその横収差図である。表７は面データ、表８は各種データである。本数値実施例３では非球面レンズは採用していない。
【００３５】
この数値実施例３のレンズ構成は、以下の点を除いて数値実施例１と同様である。
（１）第１レンズ群Ｇ１が、物体側から順に、物体側に凸の負メニスカスレンズ１１'、両凸正レンズ１２'、物体側に凸の正メニスカスレンズ１３'、及び物体側に凸の正メニスカスレンズ１４'からなる４枚構成である。
（２）第３レンズ群Ｇ３の負レンズ３３が両凹負レンズである。
【００３６】
（表７）
面データ
面番号          r          d          N(d)        νｄ
1            58.475      4.200      1.83400       37.3
2            33.521     16.359
3           826.773      4.048      1.80420       46.5
4          -189.499      1.165
5           127.303      3.745      1.72916       54.7
6          1173.435      0.100
7            61.131      4.369      1.48749       70.4
8           176.636        d8
9          -236.104      1.500      1.65100       56.2
10           47.633      6.757
11          -56.188      2.700      1.63980       34.6
12           49.654     11.371      1.83400       37.3
13          -49.586       d13
14絞           ∞         d14
15          169.303      5.062      1.49700       81.6
16          -75.857      0.100
17           71.420      6.892      1.61800       63.4
18          -70.655      4.000      1.84666       23.8
19         2036.631       d19
20          147.175      1.500      1.74400       44.9
21           41.197      2.339
22           81.525      2.000      1.69680       55.5
23           48.057      1.828
24           45.627      5.545      1.80518       25.5
25           88.884        -
（表８）
各種データ
無限遠撮影状態        等倍（-1.0倍）撮影状態
FNO.(FE)          2.9                      (4.4)
f               88.00                     58.40
W                21.6                      14.9
Y               34.85                     34.85
fB              67.99                     67.99
L              209.30                    209.30
d8              4.000                    21.141
d13            19.052                     1.911
d14            30.688                     3.000
d19             2.000                    29.688
【００３７】
［数値実施例４］
図１９〜図２４と表９〜表１１は、本発明によるマクロレンズ系の数値実施例４を示している。図１９は無限遠撮影状態におけるレンズ構成図、図２０はその諸収差図、図２１はその横収差図であり、図２２は等倍撮影状態におけるレンズ構成図、図２３はその諸収差図、図２４はその横収差図である。表９は面データ、表１０は各種データ、表１１は非球面データである。
【００３８】
この数値実施例４のレンズ構成は、以下の点を除いて数値実施例１と同様である。
（１）第１レンズ群Ｇ１の負レンズ１１が、その像側の面が非球面の非球面レンズである。
（２）第１レンズ群Ｇ１の正レンズ１３が両凸正レンズである。
【００３９】
（表９）
面データ
面番号          r          d          N(d)        νｄ
1            62.821      3.300      1.80139       45.5
2*           36.034     11.412
3           339.159      5.307      1.72916       54.7
4          -125.685      3.212
5            78.475      5.315      1.60311       60.7
6         -6700.464        d6
7          3268.564      1.900      1.56883       56.0
8            41.960      8.059
9           -49.199      4.990      1.70154       41.2
10           45.823     13.058      1.83481       42.7
11          -50.103       d11
12絞           ∞         d12
13          216.108      5.019      1.49700       81.6
14          -71.779      0.100
15           74.031      6.864      1.60311       60.7
16          -69.998      3.256      1.84666       23.8
17         -837.790       d17
18          172.777      1.900      1.72342       38.0
19           41.560      2.779
20          117.629      1.900      1.60311       60.7
21           50.196      1.850
22           47.851      4.587      1.80518       25.5
23          117.265        -
＊は回転対称非球面である。
（表１０）
各種データ
無限遠撮影状態        等倍（-1.0倍）撮影状態
FNO.(FE)          2.9                      (4.2)
f               89.52                     60.35
W                21.1                      14.3
Y               34.85                     34.85
fB              69.78                     69.78
L              210.26                    210.26
d6              4.000                    20.419
d11            18.019                     1.600
d12            31.162                     3.350
d17             2.500                    30.312
（表１１）
非球面データ（表示していない非球面係数は0.00である）
面番号   K          A4             A6             A8
2     0.000    0.4551E-06    -0.5499E-10     0.1475E-12
【００４０】
［数値実施例５］
図２５〜図３０と表１２〜表１４は、本発明によるマクロレンズ系の数値実施例５を示している。図２５は無限遠撮影状態におけるレンズ構成図、図２６はその諸収差図、図２７はその横収差図であり、図２８は等倍撮影状態におけるレンズ構成図、図２９はその諸収差図、図３０はその横収差図である。表１２は面データ、表１３は各種データ、表１４は非球面データである。
【００４１】
この数値実施例５のレンズ構成は、第２レンズ群Ｇ２の負レンズ２１が、その物体側の面が非球面の非球面レンズである点を除いて、数値実施例１と同様である。
【００４２】
（表１２）
面データ
面番号          r          d          N(d)        νｄ
1            58.538      4.100      1.78590       44.2
2            35.594      0.200      1.52972       42.7
3*           33.720     13.488
4           208.240      6.492      1.72916       54.7
5          -129.319      0.100
6            67.597      5.067      1.60311       60.7
7           284.751        d7
8*          247.385      1.900      1.58636       60.9
9            38.190     11.642
10          -46.784      3.500      1.70154       41.2
11           50.798     12.000      1.83481       42.7
12          -48.366       d12
13絞           ∞         d13
14          184.388      5.106      1.49700       81.6
15          -70.955      0.100
16           69.827      7.101      1.60311       60.7
17          -66.871      3.109      1.84666       23.8
18        -1195.434       d18
19          237.947      1.900      1.72342       38.0
20           43.093      3.074
21          188.099      1.900      1.65160       58.4
22           52.498      2.003
23           51.712      4.796      1.80518       25.5
24          199.918        -
＊は回転対称非球面である。
（表１３）
各種データ
無限遠撮影状態        等倍（-1.0倍）撮影状態
FNO.(FE)          2.9                      (4.2)
f               91.90                     60.49
W                20.6                      14.2
Y               34.85                     34.85
fB              68.53                     68.53
L              208.72                    208.72
d7              4.000                    19.232
d12            16.732                     1.500
d13            29.388                     3.300
d18             2.500                    28.588
（表１４）
非球面データ（表示していない非球面係数は0.00である）
面番号   K          A4             A6             A8             A10
3     0.000    0.7228E-06    -0.9532E-10     0.4014E-12    -0.3390E-15
8     0.000    0.7363E-06     0.3207E-09     0.8214E-12
【００４３】
［数値実施例６］
図３１〜図３６と表１５〜表１７は、本発明によるマクロレンズ系の数値実施例６を示している。図３１は無限遠撮影状態におけるレンズ構成図、図３２はその諸収差図、図３３はその横収差図であり、図３４は等倍撮影状態におけるレンズ構成図、図３５はその諸収差図、図３６はその横収差図である。表１５は面データ、表１６は各種データ、表１７は非球面データである。
【００４４】
この数値実施例６のレンズ構成は数値実施例１と同様である。
【００４５】
（表１５）
面データ
面番号          r          d          N(d)        νｄ
1            39.206      1.900      1.83481       42.7
2            22.239      0.200      1.52972       42.7
3*           22.667      5.515
4            77.666      4.295      1.72916       54.7
5           -89.706      0.500
6            38.075      3.270      1.60311       60.7
7            94.651        d7
8          1039.216      1.200      1.58913       61.2
9            25.436      5.150
10          -29.797      1.700      1.70154       41.2
11           25.978      8.590      1.83481       42.7
12          -30.192       d12
13絞           ∞         d13
14          119.639      3.433      1.49700       81.6
15          -42.524      0.100
16           40.600      4.626      1.58913       61.2
17          -40.743      2.491      1.84666       23.8
18         -385.713       d18
19          213.039      1.300      1.72342       38.0
20           25.057      2.576
21         2489.843      1.300      1.60311       60.7
22           41.330      0.844
23           35.297      3.587      1.80518       25.5
24          259.291        -
＊は回転対称非球面である。
（表１６）
各種データ
無限遠撮影状態        等倍（-1.0倍）撮影状態
FNO.(FE)          2.9                      (4.2)
f               59.56                     37.78
W                19.8                      13.4
Y               21.64                     21.64
fB              39.72                     39.72
L              126.32                    126.32
d7              2.740                    13.271
d12            11.620                     1.090
d13            17.965                     2.280
d18             1.700                    17.385
（表１７）
非球面データ（表示していない非球面係数は0.00である）
面番号 K        A4          A6          A8          A10         A12
3   0.000  0.7098E-06  0.1105E-07 -0.5748E-10  0.1008E-12  0.5344E-16
【００４６】
［数値実施例７］
図３７〜図４２と表１８〜表２０は、本発明によるマクロレンズ系の数値実施例７を示している。図３７は無限遠撮影状態におけるレンズ構成図、図３８はその諸収差図、図３９はその横収差図であり、図４０は等倍撮影状態におけるレンズ構成図、図４１はその諸収差図、図４２はその横収差図である。表１８は面データ、表１９は各種データ、表２０は非球面データである。
【００４７】
この数値実施例７のレンズ構成は数値実施例４と同様である。
【００４８】
（表１８）
面データ
面番号          r          d          N(d)        νｄ
1            42.576      1.224      1.82080       42.7
2*           25.532      4.063
3            80.703      4.430      1.72916       54.7
4           -79.909      0.218
5           123.519      2.415      1.60311       60.7
6         -2577.765        d6
7           117.431      1.557      1.54814       45.8
8            23.180      5.796
9           -26.154      1.500      1.70154       41.2
10           25.041      8.421      1.80610       40.7
11          -27.642       d11
12絞           ∞         d12
13          107.579      3.667      1.49700       81.6
14          -45.015      0.100
15           43.030      4.989      1.60311       60.7
16          -39.811      1.647      1.84666       23.8
17         -162.408       d17
18           95.461      1.500      1.74330       49.2
19           20.135      3.075
20          256.417      1.500      1.63980       34.6
21           67.162      0.129
22           27.136      2.762      1.80518       25.5
23           47.599        -
＊は回転対称非球面である。
（表１９）
各種データ
無限遠撮影状態        等倍（-1.0倍）撮影状態
FNO.(FE)          2.9                      (4.0)
f               60.82                     37.33
W                19.4                      13.5
Y               21.64                     21.64
fB              42.34                     42.34
L              124.50                    124.50
d6              3.204                    14.856
d11            12.651                     1.000
d12            15.813                     2.005
d17             1.500                    15.308
（表２０）
非球面データ（表示していない非球面係数は0.00である）
面番号   K          A4             A6             A8             A10
2     0.000    0.4813E-05     0.3006E-08     0.4575E-11     0.3570E-13
【００４９】
［数値実施例８］
図４３〜図４８と表２１〜表２３は、本発明によるマクロレンズ系の数値実施例８を示している。図４３は無限遠撮影状態におけるレンズ構成図、図４４はその諸収差図、図４５はその横収差図であり、図４６は等倍撮影状態におけるレンズ構成図、図４７はその諸収差図、図４８はその横収差図である。表２１は面データ、表２２は各種データ、表２３は非球面データである。
【００５０】
この数値実施例８のレンズ構成は、以下の点を除いて数値実施例４と同様である。
（１）第１レンズ群Ｇ１の正レンズ１３が物体側に凸の正メニスカスレンズである。
（２）第４レンズ群Ｇ４の負レンズ４１が、その物体側の面が非球面の非球面レンズである。
【００５１】
（表２１）
面データ
面番号          r          d          N(d)        νｄ
1            44.299      1.500      1.82080       42.7
2*           25.912      3.783
3            80.430      4.143      1.72916       54.7
4           -91.355      0.100
5            94.260      2.302      1.60311       60.7
6           323.327        d6
7            82.011      1.500      1.58267       46.6
8            23.851      5.349
9           -26.712      1.500      1.70154       41.2
10           24.642      8.404      1.80610       40.7
11          -28.553       d11
12絞           ∞         d12
13          131.268      3.671      1.49700       81.6
14          -45.191      0.100
15           42.810      5.274      1.60311       60.7
16          -39.214      1.500      1.84666       23.8
17         -136.258       d17
18*          58.120      1.500      1.69350       53.2
19           21.010      4.458
20          100.000      1.500      1.77250       49.6
21           40.457      1.717
22           27.706      2.406      1.80518       25.5
23           39.459        -
＊は回転対称非球面である。
（表２２）
各種データ
無限遠撮影状態        等倍（-1.0倍）撮影状態
FNO.(FE)          2.9                      (4.0)
f               60.76                     37.05
W                19.4                      13.1
Y               21.64                     21.64
fB              39.57                     39.57
L              125.68                    125.68
d6              2.500                    16.519
d11            15.019                     1.000
d12            16.080                     2.000
d17             1.809                    15.889
（表２３）
非球面データ（表示していない非球面係数は0.00である）
面番号   K          A4             A6             A8             A10
2     0.000    0.4709E-05    -0.6964E-09     0.3503E-10    -0.1789E-13
18    0.000   -0.9601E-06    -0.1336E-07     0.9001E-10    -0.2465E-12
【００５２】
［数値実施例９］
図４９〜図５４と表２４〜表２６は、本発明によるマクロレンズ系の数値実施例９を示している。図４９は無限遠撮影状態におけるレンズ構成図、図５０はその諸収差図、図５１はその横収差図であり、図５２は等倍撮影状態におけるレンズ構成図、図５３はその諸収差図、図５４はその横収差図である。表２４は面データ、表２５は各種データ、表２６は非球面データである。
【００５３】
この数値実施例９のレンズ構成は、第２レンズ群Ｇ２の負レンズ２１が両凹負レンズである点を除いて、数値実施例１と同様である。
【００５４】
（表２４）
面データ
面番号          r          d          N(d)        νｄ
1            50.345      2.800      1.78590       43.9
2            32.682      0.200      1.52972       42.7
3*           31.959     14.964
4           235.757      4.740      1.72916       54.7
5          -172.841      0.500
6            64.160      5.580      1.60311       60.7
7           721.891        d7
8         -8034.427      1.800      1.56384       60.8
9            40.294     10.761
10          -47.886      2.500      1.70154       41.2
11           45.430     12.442      1.83481       42.7
12          -48.059       d12
13絞           ∞         d13
14          188.026      5.213      1.49700       81.6
15          -69.841      0.100
16           69.149      7.326      1.58913       61.2
17          -57.687      4.745      1.84666       23.8
18         -346.120       d18
19          564.418      1.900      1.60562       43.7
20           42.724      3.830
21         2782.398      1.900      1.78800       47.5
22           68.410      1.977
23           63.292      4.649      1.80518       25.5
24         1242.526        -
＊は回転対称非球面である。
（表２５）
各種データ
無限遠撮影状態        等倍（-1.0倍）撮影状態
FNO.(FE)          2.9                      (4.1)
f               91.86                     60.02
W                20.6                      14.1
Y               34.85                     34.85
fB              66.29                     66.29
L              205.94                    205.94
d7              3.800                    20.694
d12            18.494                     1.600
d13            26.927                     3.000
d18             2.500                    26.427
（表２６）
非球面データ（表示していない非球面係数は0.00である）
面番号   K          A4             A6             A8             A10
3     0.000   -0.1084E-07    -0.2757E-09    -0.1998E-12    -0.5903E-15
【００５５】
各数値実施例の各条件式に対する値を表２７に示す。
（表２７）
実施例１        実施例２        実施例３
条件式（１）       -3.84           -4.14           -4.55
条件式（２）       -1.20           -1.13           -1.16
条件式（３）       11.60            5.90            6.92
条件式（４）        0.23            0.40            0.38
条件式（５）        2.35            2.35            2.18
実施例４        実施例５        実施例６
条件式（１）       -4.03           -3.57           -3.27
条件式（２）       -1.25           -1.24           -1.12
条件式（３）        5.50            7.94            6.83
条件式（４）        0.43            0.31            0.34
条件式（５）        2.38            2.40            2.39
実施例７        実施例８        実施例９
条件式（１）       -3.82           -4.40           -3.20
条件式（２）       -1.32           -1.30           -1.33
条件式（３）        3.20            2.30           14.28
条件式（４）        0.61            0.74            0.18
条件式（５）        2.37            2.42            2.49
【００５６】
表２７から明らかなように、数値実施例１〜数値実施例９は、条件式（１）〜（５）を満足しており、また諸収差図から明らかなように諸収差は比較的よく補正されている。
【符号の説明】
【００５７】
Ｇ１  正の屈折力を持つ第１レンズ群
Ｇ２  負の屈折力を持つ第２レンズ群
Ｇ３  正の屈折力を持つ第３レンズ群
Ｇ４  負の屈折力を持つ第４レンズ群
１１  負レンズ
１２  正レンズ
１３  正レンズ
１１'  負レンズ
１２'  正レンズ
１３'  正レンズ
１４'  正レンズ
２１  負レンズ
２２  負レンズ
２３  正レンズ
３１  正レンズ
３２  正レンズ
３３  負レンズ
４１  負レンズ
４２  負レンズ
４３  正レンズ
Ｓ  絞り
Ｉ  像面
【図１】
0005854114.tif 000002
【図２】
0005854114.tif 000003
【図３】
0005854114.tif 000004
【図４】
0005854114.tif 000005
【図５】
0005854114.tif 000006
【図６】
0005854114.tif 000007
【図７】
0005854114.tif 000008
【図８】
0005854114.tif 000009
【図９】
0005854114.tif 000010
【図１０】
0005854114.tif 000011
【図１１】
0005854114.tif 000012
【図１２】
0005854114.tif 000013
【図１３】
0005854114.tif 000014
【図１４】
0005854114.tif 000015
【図１５】
0005854114.tif 000016
【図１６】
0005854114.tif 000017
【図１７】
0005854114.tif 000018
【図１８】
0005854114.tif 000019
【図１９】
0005854114.tif 000020
【図２０】
0005854114.tif 000021
【図２１】
0005854114.tif 000022
【図２２】
0005854114.tif 000023
【図２３】
0005854114.tif 000024
【図２４】
0005854114.tif 000025
【図２５】
0005854114.tif 000026
【図２６】
0005854114.tif 000027
【図２７】
0005854114.tif 000028
【図２８】
0005854114.tif 000029
【図２９】
0005854114.tif 000030
【図３０】
0005854114.tif 000031
【図３１】
0005854114.tif 000032
【図３２】
0005854114.tif 000033
【図３３】
0005854114.tif 000034
【図３４】
0005854114.tif 000035
【図３５】
0005854114.tif 000036
【図３６】
0005854114.tif 000037
【図３７】
0005854114.tif 000038
【図３８】
0005854114.tif 000039
【図３９】
0005854114.tif 000040
【図４０】
0005854114.tif 000041
【図４１】
0005854114.tif 000042
【図４２】
0005854114.tif 000043
【図４３】
0005854114.tif 000044
【図４４】
0005854114.tif 000045
【図４５】
0005854114.tif 000046
【図４６】
0005854114.tif 000047
【図４７】
0005854114.tif 000048
【図４８】
0005854114.tif 000049
【図４９】
0005854114.tif 000050
【図５０】
0005854114.tif 000051
【図５１】
0005854114.tif 000052
【図５２】
0005854114.tif 000053
【図５３】
0005854114.tif 000054
【図５４】
0005854114.tif 000055
【図５５】
0005854114.tif 000056